(57)【要約】【課題】底面の裏側に手をあてがっても怪我をする恐れがなくて安全に取り扱うことができる内視鏡用光源装置を提供すること。【解決手段】内視鏡に供給する照明光を発生するための光源ランプ７等の装置が筐体１内に内蔵され、それら内蔵装置７…の固定部２０が筐体１の床板にビス止めされた内視鏡用光源装置において、筐体１の床板として、厚み方向に間隔をあけて配置された二枚の床板１Ａ，１Ｂが設けられて、内蔵装置７…の固定部２０をビス止めするための雌ネジが形成された内蔵装置固定用バーリング部２３が、二枚の床板１Ａ，１Ｂの一方から他方の側に向けて突出形成されている。【選択図】      図１
2006025949.tif 000002
【特許請求の範囲】
【請求項１】
内視鏡に供給する照明光を発生するための光源ランプ等の装置が筐体内に内蔵され、それら内蔵装置の固定部が上記筐体の床板にビス止めされた内視鏡用光源装置において、
上記筐体の床板として、厚み方向に間隔をあけて配置された二枚の床板が設けられて、上記内蔵装置の固定部をビス止めするための雌ネジが形成された内蔵装置固定用バーリング部が、上記二枚の床板の一方から他方の側に向けて突出形成されていることを特徴とする内視鏡用光源装置。
【請求項２】
上記二枚の床板が、その一方から他方の側に向けて突出形成された床板固定用バーリング部に螺合するビスによって互いに連結固定されている請求項１記載の内視鏡用光源装置。
【請求項３】
上記床板固定用バーリング部が上記二枚の床板の間の間隔を規制するスペーサになっていて、上記内蔵装置固定用バーリング部が上記床板固定用バーリング部より短く形成されている請求項２記載の内視鏡用光源装置。
【請求項４】
上記筐体を支える足部材が、上記二枚の床板のうちの外側の床板の裏面側から下方に突設されている請求項１、２又は３記載の内視鏡用光源装置。
【発明の詳細な説明】
【技術分野】
【０００１】
この発明は内視鏡用光源装置に関する。
【背景技術】
【０００２】
内視鏡用光源装置においては一般に、内視鏡に供給する照明光を発生するための光源ランプの他、光源ランプホルダ、光源ランプの冷却ファン及び内視鏡に加圧空気を送るための送気ポンプ等のような内蔵装置の固定部が、筐体の床板にビス止めされている（例えば、特許文献１）。
【特許文献１】特開２０００−１０２５０４
【発明の開示】
【発明が解決しようとする課題】
【０００３】
内視鏡用光源装置においては、上述のような内蔵装置を筐体の床板上にビス止め固定するために、雌ネジが形成された円筒状のバーリング部が床板からその裏面側に突出形成されていて、床板の裏面からはそのようなバーリング部やビス先等が幾つも突出している。
【０００４】
ただし、それとは別にバーリング部やビス等より長い足部材が床板の裏面側から下方に向かって四箇所から突設されているので、バーリング部やビス先等で机の表面等を傷つけることはない。
【０００５】
しかし、光源装置を移動させる際や移動先で設置する際等に、光源装置の底面の裏側に手をあてがうと、そこに突出しているバーリング部やビス先等により思わぬ怪我をする恐れがあった。
【０００６】
そこで本発明は、底面の裏側に手をあてがっても怪我をする恐れがなくて安全に取り扱うことができる内視鏡用光源装置を提供することを目的とする。
【課題を解決するための手段】
【０００７】
上記の目的を達成するため、本発明の内視鏡用光源装置は、内視鏡に供給する照明光を発生するための光源ランプ等の装置が筐体内に内蔵され、それら内蔵装置の固定部が筐体の床板にビス止めされた内視鏡用光源装置において、筐体の床板として、厚み方向に間隔をあけて配置された二枚の床板が設けられて、内蔵装置の固定部をビス止めするための雌ネジが形成された内蔵装置固定用バーリング部が、二枚の床板の一方から他方の側に向けて突出形成されているものである。
【０００８】
なお、二枚の床板が、その一方から他方の側に向けて突出形成された床板固定用バーリング部に螺合するビスによって互いに連結固定されていてもよく、その場合、床板固定用バーリング部が二枚の床板の間の間隔を規制するスペーサになっていて、内蔵装置固定用バーリング部が床板固定用バーリング部より短く形成されていてもよい。
【０００９】
また、筐体を支える足部材が、二枚の床板のうちの外側の床板の裏面側から下方に突設されていてもよい。
【発明の効果】
【００１０】
本発明によれば、床板の裏面部分にバーリング部やビス先等が全く突出しないように構成することができるので、光源装置を移動させる際や移動先で設置する際等に、底面の裏側に手をあてがっても怪我をする恐れがなくて非常に安全に取り扱うことができる。
【発明を実施するための最良の形態】
【００１１】
筐体の床板として、厚み方向に間隔をあけて配置された二枚の床板が設けられて、内蔵装置の固定部をビス止めするための雌ネジが形成された内蔵装置固定用バーリング部が、二枚の床板の一方から他方の側に向けて突出形成されている。
【実施例】
【００１２】
図面を参照して本発明の実施例を説明する。
図２は内視鏡用光源装置の外観図であり、内視鏡用光源装置は四角い箱状の筐体１で囲まれていて、その底面の四隅の近傍位置には足部材２が取り付けられている。
【００１３】
前面パネル３には、図示されていない内視鏡のライトガイドコネクタと信号コネクタとが着脱自在に差し込み接続されるライトガイドコネクタ受け４と信号コネクタ受け５、及び各種スイッチとディスプレイ等が配置されている。６は、側面部に開閉自在に設けられたランプ交換扉である。
【００１４】
図３は、内視鏡用光源装置の平面断面図であり、筐体１によって囲まれた空間内には、図示されていない内視鏡のライトガイドに供給する照明光を発生するための光源ランプ７が、一対のヒートシンク８に取り付けられて風洞９の入口部に配置され、その風洞９の出口部には送風ファン１０が取り付けられている。
【００１５】
１１は、図示されていない内視鏡の送気管路や送水タンクに加圧空気を送るための送気ポンプであり、カートリッジ式の空気フィルタ１２内を通過した空気を加圧して送り出すようになっている。
【００１６】
図１は、内視鏡用光源装置の一部を省略して示す側面透視図であり、筐体１を形成する床板として、外側の床板１Ａと内側の床板１Ｂの二枚の床板が厚み方向に間隔をあけて平行に配置されている。
【００１７】
外側の床板１Ａからは内側の床板１Ｂ側に向けて複数箇所（例えば１０箇所程度）に床板固定用バーリング部２１が突出形成されてその内孔には雌ネジが形成され、内側の床板１Ｂ側からその床板固定用バーリング部２１に床板固定用ビス２２が締め込まれている。
【００１８】
その結果、床板固定用バーリング部２１が外側の床板１Ａと内側の床板１Ｂとの間の間隔を規制するスペーサにもなっていて、外側の床板１Ａと内側の床板１Ｂとが、床板固定用バーリング部２１により一定の間隔を保持された状態で床板固定用ビス２２により互いに固定されている。
【００１９】
そして、内側の床板１Ｂには、外側の床板１Ａ側に向けて床板固定用バーリング部２１より短い長さの内蔵装置固定用バーリング部２３が突設されて、その内孔に雌ネジが形成され、ヒートシンク８や風洞９の一部等が固定されたフレーム２０（固定部）が、その内蔵装置固定用バーリング部２３に締め込まれた内蔵装置固定用ビス２４によって、内側の床板１Ｂ上にビス止め固定されている。
【００２０】
なお、内側の床板１Ｂにフレーム２０や風洞９等を固定するための複数のビス２５の中の一部は、バーリング部を形成することなく内側の床板１Ｂに直接形成されたネジ孔に対してねじ込まれている。
【００２１】
足部材２は、外側の床板１Ａから内側の床板１Ｂ側に向けて床板固定用バーリング部２１より短い長さで突設された足部材固定用バーリング部２６のネジ孔に対して螺合する足部材固定用ビス２７により、外側の床板１Ａの裏面側に固定されている。
【００２２】
このように構成された内視鏡用光源装置においては、外側の床板１Ａの裏側に、足部材２以外にバーリング部やビス先等が全く突出しないので、外側の床板１Ａの裏側に手をあてがっても怪我をする恐れがなく、安全に取り扱うことができる。
【００２３】
なお、本発明は上記実施例に限定されるものではなく、例えば、フレーム２０等を固定するビスを、外側の床板１Ａから内側の床板１Ｂ側に向けて突設されたバーリング部に対して内側の床板１Ｂ側からねじ込む構成を採っても差し支えない。
【図面の簡単な説明】
【００２４】
【図１】本発明の実施例の内視鏡用光源装置の一部を省略して示す側面透視図である。
【図２】本発明の実施例の外観斜視図である。
【図３】本発明の実施例の内視鏡用光源装置の平面断面図である。
【符号の説明】
【００２５】
１  筐体
１Ａ  外側の床板
１Ｂ  内側の床板
２  足部材
７  光源ランプ（内蔵装置）
８  ヒートシンク（内蔵装置）
９  風洞（内蔵装置）
１０  送風ファン（内蔵装置）
１１  送気ポンプ（内蔵装置）
１２  空気フィルタ（内蔵装置）
２０  フレーム（固定部）
２１  床板固定用バーリング部
２２  床板固定用ビス
２３  内蔵装置固定用バーリング部
２４  内蔵装置固定用ビス
２５  ビス
【図１】
2006025949.tif 000003
【図２】
2006025949.tif 000004
【図３】
2006025949.tif 000005